(57)【要約】【課題】反りや収縮等が生じにくく、且つ、無垢材のように、表面を削ればもとの豊かな表情に戻る集成材を提供する。【解決手段】略正方形形状の複数個の板状木片２が平面状に配置され、隣り合う板状木片２の相対する端面20同士が接着されてなる集成材１であって、各板状木片２の繊維方向が、隣り合う板状木片２の繊維方向と概ね直行するように各板状木片２が配置されてなる集成材１とした。このとき、板状木片２が柾目のものであることが好ましく、またこのとき、板状木片２が廃木材を成形加工したものであることも好ましい。【選択図】図１
0003156214.tif 000002
【実用新案登録請求の範囲】
【請求項１】
略正方形形状の複数個の板状木片が平面状に配置され、隣り合う板状木片の相対する端面同士が接着されてなる集成材であって、各板状木片の繊維方向が、隣り合う板状木片の繊維方向と概ね直行するように各板状木片が配置されてなる集成材。
【請求項２】
板状木片が柾目のものである、
請求項1記載の集成材。
【請求項３】
複数個の板状木片が、
第一の樹木から得られた木材を成形加工したものと、
前記第一の樹木とは異なる種類の第二の樹木から得られた木材を成形加工したものと、
からなる、
請求項１又は２記載の集成材。
【請求項４】
板状木片が廃木材を成形加工したものである、
請求項１〜３何れか記載の集成材。
【請求項５】
板状木片の厚みが３〜１５ｃｍであり、
床材として用いられる、請求項１〜４何れか記載の集成材。
【考案の詳細な説明】
【技術分野】
【０００１】
本考案は、集成材に関する。詳しくは、略正方形形状の複数個の板状木片が平面状に配置され、隣り合う板状木片の相対する端面同士が接着されている集成材に関する。
【背景技術】
【０００２】
従来より、家屋や家具等に幅広く板材が用いられている。板材としては、大径樹木から切り出した比較的大型の無垢材や、複数の薄板材を接着して形成した合板などがある。
【０００３】
例えば、特許文献１には、「基板に対して，積層薄板を接着剤により接合してなる複合集積材であって，上記積層薄板は，原木をその円周方向に沿って切削することにより第１薄層板を得て，次いで，多数枚の該第１薄層板を接着剤を用いて積層接合することにより積層接合体となし，次いで，該積層接合体をその積層方向に沿った方向に，厚み０．１〜３０ｍｍのシートに切断したものであり，かつ該複合集積材は，幅が５〜１００ｃｍ，長さが３０〜４００ｃｍであることを特徴とする複合集積材」が記載されており、これによって「表面模様が略同じで，強度に優れ，生産性，施工性に優れた，大形状の複合集積材，及びこれを用いた施工構造を提供することができる。」とある。
【先行技術文献】
【特許文献】
【０００４】
【特許文献１】特開２００２−８６４１６号公報
【考案の概要】
【考案が解決しようとする課題】
【０００５】
しかし近年、急激な天然樹木の減少によって大型の板材を切り出すことが出来るような大径樹木が少なくなり、大型の無垢の板材は高価なものとなっている。無垢の板材は、長期間使用して汚れたような場合であっても、表面を削ればもとの豊かな表情に戻るという優れた特徴を有している。
【０００６】
また、木材は方向によって吸水率や収縮率が異なるため、板材に反りや収縮等の変形が生じてしまい、製品価値が低下することがあった。木目が表面に現れるように切り出された板材は、繊維方向には反りにくいものの、これと概ね垂直な方向に反りやすいという欠点がある。十分に乾燥させた木材を用いた場合であっても、吸湿すれば同様であった。
【０００７】
このような現象は、肉厚の板材（厚板）とした場合に顕著かつ問題となり、例えば、厚板を用いる床材等では乾燥や吸湿による反りが経時的に発生していた。特に、厚板は一旦反ってしまうと、肉厚であるが故、元の状態に戻すことが困難であった。
【０００８】
一方、地球環境の保全の観点などから、リデユース（減らすこと）、リユース（再び使用すること）、及びリサイクル（再資源化すること）という我が国の基本方針（いわゆる３Ｒ）に合致した物作りが求められている。
【０００９】
本考案は、上述の事柄に留意してなされたものであって、反りや収縮等が生じにくく、且つ、無垢材のように、表面を削ればもとの豊かな表情に戻る集成材を提供することを目的とする。
【課題を解決するための手段】
【００１０】
上記課題を解決するために、本考案の集成材は、略正方形形状の複数個の板状木片が平面状に配置され、隣り合う板状木片の相対する端面同士が接着されてなる集成材であって、各板状木片の繊維方向が、隣り合う板状木片の繊維方向と概ね直行するように各板状木片が配置された構造とした。ここで、板状木片には、厚みが１〜２０ｃｍのものが含まれている。
【００１１】
この集成材は、各板状木片の繊維方向が、隣り合う板状木片の繊維方向と概ね直行するように各板状木片が配置された構造であることにより、各板状木片の反りが抑えられるため、集成材全体としても反りや収縮が生じにくくなる。また、合板とは異なり、長年の使用等によって汚れた場合であっても表面を削ることで、もとの豊かな表情に戻すことができる。さらに、この集成材の表面は、光のあたる方向（見る方向）によって異なる表情を見せ、意匠的にも優れている。加えて、このような優れた特徴により利用用途が広く、例えば、生活用品、建築用品および工芸細工等のあらゆる分野に利用することができる。
【００１２】
このとき、板状木片が柾目のものである集成材とすることが好ましい。複数個の板状木片の全てが柾目のものであることがより好ましい。
【００１３】
この集成材は、表面に柾目の木目が規則的に並び、とても美しいものである。
【００１４】
またこのとき、複数個の板状木片が、第一の樹木から得られた木材を成形加工したものと、第一の樹木とは異なる種類の第二の樹木から得られた木材を成形加工したものと、からなる集成材とすることも好ましい。
【００１５】
この集成材は、第一の樹木と第二の樹木の種類を適宜選択・組み合わせることによって、表面に変化をもたせることができる。例えば、檜から得られた板状木片と、これよりも濃い色調を備えた、桜から得られた板状木片を使用して所望のパターンを描くように配置すれば、表面に幾何学的な模様を形成することができる。
【００１６】
またこのとき、板状木片が廃木材を成形加工したものである集成材とすることも好ましい。複数個の板状木片の全てが廃木材を成形加工したものであることが好ましい。
【００１７】
この集成材は、廃木材をリサイクルして得られたものであり、廃棄物を削減でき地球環境に優しい。
【００１８】
またこのとき、板状木片の厚みが３〜１５ｃｍであり、床材として用いられる集成材とすることも好ましい。複数個の板状木片の厚みが全て等しく３〜１５ｃｍであることが好ましい。
【００１９】
上記本発明の集成材は割れにくいなど強度が強く、また厚板とした場合であっても反りにくい。また、長年の使用等によって汚れた場合であっても表面を削ることで、もとの豊かな表情に戻すことができる。このような優れた特徴を有する本発明の集成材は床材として用いることに最適なのである。
【考案の効果】
【００２０】
本考案により、反りや収縮等が生じにくく、且つ、無垢材のように、表面を削ればもとの豊かな表情に戻る集成材を提供することができる。
【図面の簡単な説明】
【００２１】
【図１】第一実施形態の集成材を示す一部分解斜視図である。
【図２】板状木片同士の接着方法の一例を示す斜視図である。
【図３】板状木片同士の接着方法の別例を示す斜視図である。
【図４】枠体を取り付けた集成材の斜視図である。
【図５】第二実施形態の集成材を示す斜視図である。
【図６】枠体を取り付けた集成材の別例を示す斜視図である。
【図７】図６のＡ−Ａ’線を矢印方向から見た断面図である。
【図８】柾目と板目を説明するための図である。
【考案を実施するための形態】
【００２２】
以下、図を用いて本考案の集成材を例示説明する。
【００２３】
本考案の集成材は、略正方形形状の複数個の板状木片が平面状に配置され、隣り合う板状木片の相対する端面同士が接着されてなる集成材であって、各板状木片の繊維方向が、隣り合う板状木片の繊維方向と概ね直行するように各板状木片が配置された構成である。
【００２４】
まず、図１〜図４を用いて、第一実施形態の集成材を説明する。これらの図において、各板状木片の表面には細線で木繊維を描いてある。また、図１において、二十五個の板状木片のうち、一つの板状木片にのみ符号を付してある。なお、以下の実施形態はあくまで本考案を例示説明するものであって、本考案は、以下の具体的な実施形態に限定されるものではない。
【００２５】
［第一実施形態の集成材］
本実施形態の集成材１は、檜材（檜から得られた木材）を成形加工して得られた板状木片２を用いてある。具体的には、乾燥させた檜の端材（廃木材）を、柾目が表面に現れるように、厚み１２ｍｍで、５５ｍｍ角の概ね正方形に切り出して板状木片２を得た。
【００２６】
この板状木片２を二十五個用意し、各板状木片２の繊維方向（図１および図８参照）が、隣り合う板状木片２の繊維方向と概ね直行するように各板状木片２を平面状に隙間無く配置しながら、隣り合う板状木片２の相対する端面20同士を接着剤（図示せず）で接着して集成材１を得た。各板状木片２の端面20は平坦なままとし、溝加工等は施さなかった。また、接着剤は環境に優しい水性のものを用いた。
【００２７】
なお、図２及び図３に例示するように、各板状木片２の端面20に各種加工を施してもよい。図２は、隣り合う板状木片２の相対する端面20に、ほぞ21加工とほぞ溝22加工を割り振って施した例である。また、図３は、隣り合う板状木片２の相対する端面20に、各々ダボ穴23加工を施して、ダボ24で連結するようにした例である。これらの加工を施した場合であっても、接着剤を併用することが好ましい。
【００２８】
また、図４に示すように、集成材１の外周を枠体５で囲ってもよい。このようにすると集成材１の木口が隠れて更に品位が向上するため、例えば、所望のサイズの集成材を用いることによってテーブルや机の表面板に好適に用いることができる。
【００２９】
［第二実施形態の集成材］
次に、図５を用いて第二実施形態の集成材を例示説明する。先述した第一実施形態と同様の構成要素については同一の符号を付し、原則としてその説明を省略する。
【００３０】
本第二実施形態の集成材１’は、複数個の板状木片が、檜材（檜から得られた木材）を成形加工して得られたもの（２）と、桜材（桜から得られた木材）を成形加工して得られたもの（２’）で構成されている点で前記第一実施形態の集成材１とは異なる。
【００３１】
そして、檜材よりも濃い色調を備えた桜材の板状木片２’（四個）を、図５に示すような所望のパターン（中央部が空いた略十字形状）を描くように配置してある。
【００３２】
［枠体を取り付けた集成材の別例］
図６および図７に、枠体５’を取り付けた集成材の別例を示す。これは、図１に記載の集成材１と図５に記載の集成材１’を用いたものであり、表面と裏面で異なる模様となっていることを特徴とする。
【００３３】
具体的には、図７に示すように、大型矩形の中央板６と、この中央板６の上下に貼り付けられた上下二枚の集成材（１、１’）と、前記中央板６および前記集成材（１、１’）の外周を囲う枠体５’とで構成されている。
【００３４】
この枠体５’を取り付けた集成材（１、１’）からなる板は、表裏（上下）で模様を変えることができ、例えば、ドア等に好適に用いることができる。
【００３５】
以上、特定の実施形態を参照して本考案を説明したが、本考案は上記実施形態に限定されるものではなく、当該技術分野における熟練者等により、本出願の願書に添付された実用新案登録請求の範囲から逸脱することなく、種々の変更及び修正が可能である。
【００３６】
例えば、上記各実施形態では、柾目が表面に現れた木材を使用したが、これに限定されず、板目が表面に現れた木材を使用してもよいし、両者を組み合わせて使用してもよい。また、柾目のものと板目のものを組み合わせて使用してもよい。
【符号の説明】
【００３７】
１、１’    集成材
２          板状木片（檜）
20          端面
21          ほぞ
22          ほぞ溝
23          ダボ穴
24          ダボ
２’        板状木片（桜）
５、５’    枠体
６          中央板
【図１】
0003156214.tif 000003
【図２】
0003156214.tif 000004
【図３】
0003156214.tif 000005
【図４】
0003156214.tif 000006
【図８】
0003156214.tif 000007
【図５】
0003156214.tif 000008
【図６】
0003156214.tif 000009
【図７】
0003156214.tif 000010